(57)【要約】【課題】撮影済みのテープの再生信号を圧縮して連続ストリームを作成した場合、テープ中に未撮影部分があると、ブルーバック画像を圧縮した画像圧縮データが含まれるため、別の再生機器による連続ストリームの再生が不連続になる。【解決手段】記録済みのテープ１０２の未撮影部分の再生時は、ＤＶＣ１０１の内部で色変化付きブルーバック画像信号が作成されて出力される。この色変化付きブルーバック画像信号の画像は、２０５、２０６で示すように、青一色の画像ではなく、画面の縦横方向に青色を基調とした比較的同系色の任意の色変化の分布を与えた画像であり、また、所定時間経過後に色変化の分布の形が変化した画像である。この色変化付きブルーバック画像信号は、画像圧縮部１０６で画像圧縮されると、その圧縮画像データが極端に少量にならず、かつ、十分な量の圧縮画像データが得られる。【選択図】            図２
2004282184.tif 000002
【特許請求の範囲】
【請求項１】
被写体を撮像して得た画像データが記録された撮影部分と、前記画像データが記録されていない未撮影部分とが混在する記録媒体を再生し、前記未撮影部分の再生時には特定の色を基調とした画像の画像信号を出力するディジタルビデオカメラにおいて、
前記記録媒体の記録データを読み出すと共に、前記未撮影部分の再生信号を検出する機能を備えた読み出し手段と、
前記読み出し手段による前記未撮影部分の再生信号の検出時に、画面の縦及び横方向に所定の色を基調とした任意の色変化の分布を持ち、かつ、該色変化の分布の形状が時間と共に変化する背景画像信号を出力する背景画像作成手段と
を有し、前記未撮影部分の再生時には前記背景画像信号を出力することを特徴とするディジタルビデオカメラ。
【請求項２】
前記読み出し手段により前記記録媒体の前記撮影部分から読み出された画像データと、前記背景画像作成手段により作成された前記背景画像信号とをそれぞれ画像圧縮する画像データ圧縮部と、前記画像データ圧縮部により圧縮して出力された圧縮画像データを所定のストリームフォーマットの信号形態に変換する変換手段とを更に有することを特徴とする請求項１記載のディジタルビデオカメラ。
【発明の詳細な説明】
【０００１】
【発明の属する技術分野】
本発明はディジタルビデオカメラに係り、特に被写体を撮影してディジタル画像情報信号を得るディジタルビデオカメラに関する。
【０００２】
【従来の技術】
近年、ネットワークの高速化や、画像や音声に関する情報信号のディジタル化に伴い、ディジタルビデオカメラ（以下ＤＶＣと称する）で撮影した被写体画像を、ディジタル信号形態に変換して磁気テープに記録し、その磁気テープから再生したディジタル画像データをコンピュータに取り込んで圧縮ストリーム化したり、ディジタルビデオカメラで撮影した動画像信号をカメラ自身で圧縮してストリーム化するような動きが増えている。
【０００３】
図３は従来のディジタルビデオカメラの一例の動作説明図を示す。同図において、ディジタルビデオカメラ（ＤＶＣ）１２０は、被写体を撮影して得られた画像信号をディジタル信号（撮影画像データ）に変換した後、磁気テープ１０２に記録し、これを再生する部を有している。ＤＶＣ１２０が撮影済みの磁気テープの被写体の撮影画像データが記録されている部分（撮影部分）から再生した画像データ２０１は、撮影した被写体画像情報に関するデータであり、画像圧縮部１２１により所定の方式で画像圧縮されて画像圧縮データ２０３とされた後、連続ストリーム３０１として出力される。
【０００４】
また、ＤＶＣ１２０が磁気テープの被写体の撮影画像データが記録されていない部分（未撮影部分）から再生した画像データ２０２は、青色一色のデータ（所謂ブルーバック画像）であり、画像圧縮部１２１により所定の方式で画像圧縮されて、画像圧縮データ２０４とされた後、連続ストリーム３０１として出力される。
【０００５】
ここで、上記の画像データ２０１を圧縮して得られた画像圧縮データ２０３に比べ、未撮影部分の画像データ２０２を圧縮して得られた画像圧縮データ２０４の方が極端に小さくなる。このため、撮影部分と未撮影部分とを含んだ連続動画ストリーム３０１を作成した場合、従来はブルーバック画像の部分で極端なストリームビットレート不足３０２を発生し、そのストリーム３０１をネットワークで配信したり、ファイル化したものを別の再生機器で再生した場合、再生が不連続になるなど不都合が生じる場合があり、望ましくない。
【０００６】
なお、連続ストリームの情報量を検出して、再生データ記憶用バッファがアンダーフローを起こさないように、検出情報量に応じて画像圧縮部１２１における圧縮率を変更する処理装置が従来より知られており（例えば、特許文献１参照）、これによりストリームビットレート不足の解消を図ることが考えられる。
【０００７】
【特許文献１】
特許３１９１４４４号（第３頁）
【０００８】
【発明が解決しようとする課題】
ここで、画像データ圧縮部１２１により行われるＭＰＥＧなどの画像圧縮では、図４に示すように、画像の縦方向あるいは横方向の各画素のデータの違い△Ｐおよび時間毎の画像フレームにおける各画素データの差△ｔをデータとして画像圧縮を行う。すなわち、図４において、通常画像４１は、４２で示すように、縦方向あるいは横方向の各画素のデータの間に何らかの違い△Ｐがあり、また、ｎフレーム画像４３と（ｎ＋１）フレーム画像４４との間にも各画素データの差△ｔが存在するため、画像圧縮をしても極端なビットレート不足は生じない。
【０００９】
ところが、前記のブルーバック画像の画像データ２０２を圧縮した場合には、図４に示すようにブルーバック画像４５では、全画面青一色の画像をずっと使い続けるため、画像の縦方向及び横方向のいずれも各画素のデータの違い△Ｐが０であり、しかも、ｎフレーム画像４７と（ｎ＋１）フレーム画像４８との間にも各画素データの差△ｔが全く無く０であるため、画像圧縮をした場合に極端なビットレート不足が生じる。
【００１０】
また、このようなブルーバック画像の画像データ２０２を圧縮する場合に、前記特許文献１に記載の圧縮処理方法を適用しようとしても、適用できない。特許文献１に記載の圧縮処理方法では、入力動画像情報の動きベクタを用いて行う動き補償の結果と、上記の入力動画像情報をフィルタリングして得た動画像情報との差分の圧縮率を入力動画像情報の情報量に応じて変更するようにしているため、△Ｐと△ｔが何らかの値で生じている場合にのみ有効であり、ブルーバック画像の画像データ２０２では、画像の縦方向及び横方向のいずれも各画素のデータの違い△Ｐが無く、各画素データの時間的な変化△ｔも存在せず、上記の差分が生じないからである。
【００１１】
従って、従来はブルーバック画像を圧縮した画像圧縮データ２０４を含む連続ストリーム３０１をネットワークで配信したり、ファイル化したものを別の再生機器で再生した場合、再生が不連続になるなど不都合が生じる場合があり、望ましくない。このため、動画配信をＤＶＣのテープから行う場合は、画像圧縮を行う前に、テープから撮影部分の画像データだけを抽出する必要がある。
【００１２】
本発明は、以上の点に鑑みなされたもので、記録媒体の未撮影部分の再生時には、画面の縦横方向に特定の色を基調とした任意の色変化の分布を与えた画像信号を出力して、その圧縮データが極端に少量にならないようにし、また、時間の経過と共に、上記の色変化の分布の形を適宜変え、画像圧縮による時間的な差分が発生するようにし、圧縮データとしても充分な量を発生させることにより、安定したストリームを作成し得るディジタルビデオカメラを提供することを目的とする。
【００１３】
【課題を解決するための手段】
上記の目的を達成するため、本発明は被写体を撮像して得た画像データが記録された撮影部分と、画像データが記録されていない未撮影部分とが混在する記録媒体を再生し、未撮影部分の再生時には画面全体が特定の色を基調とした画像の画像信号を出力するディジタルビデオカメラにおいて、記録媒体の記録データを読み出すと共に、未撮影部分の再生信号を検出する機能を備えた読み出し手段と、読み出し手段による未撮影部分の再生信号の検出時に、画面の縦及び横方向に所定の色を基調とした任意の色変化の分布を持ち、かつ、色変化の分布の形状が時間と共に変化する背景画像信号を出力する背景画像作成手段とを有し、未撮影部分の再生時には背景画像信号を出力することを特徴とする。
【００１４】
この発明では、記録媒体から未撮影部分が再生されたときには、画面の縦及び横方向に所定の色を基調とした任意の色変化の分布を持ち、かつ、色変化の分布の形状が時間と共に変化する背景画像信号を出力するようにしたため、背景画像信号を圧縮した場合に、その圧縮画像データが極端に少量にならず、かつ、十分な量の圧縮画像データを得ることができる。
【００１５】
また、上記の目的を達成するため、本発明は、読み出し手段により記録媒体の撮影部分から読み出された画像データと、背景画像作成手段により作成された背景画像信号とをそれぞれ画像圧縮する画像データ圧縮部と、画像データ圧縮部により圧縮して出力された圧縮画像データを所定のストリームフォーマットの信号形態に変換する変換手段とを更に有することを特徴とする。
【００１６】
この発明では、撮影して得た被写体の画像データが記録された記録済みの記録媒体からの再生画像データと背景画像信号とを画像圧縮して、所定のストリームフォーマットの信号形態に変換するようにしたため、撮影して得た被写体の画像をネットワークにストリーム配信したりファイル化することができる。
【００１７】
【発明の実施の形態】
図１は本発明になるディジタルビデオカメラの一実施の形態のブロック図を示す。なお、図１には、被写体を撮像するための光学系、及びその光学系により得られた撮像信号を所定の信号処理をしてディジタル信号形態の画像データとする信号処理系、及び上記のディジタル信号形態の画像データ等を記録媒体であるテープ（磁気テープ）に記録する記録系は、当然のことながらディジタルビデオカメラには存在するが、本発明の要旨ではないため、説明の簡単化のため図示を省略し、再生系のみ図示してある。
【００１８】
図１に示すように、ディジタルビデオカメラ（ＤＶＣ）１０１は、テープ１０２に記録された画像データ及び音声データをデータ読み取り部１０３で読み取る。このテープ１０２は、撮影済みの被写体の画像データ及び音声データがディジタル信号の形態で多重されて記録されている撮影部分と、何の信号も記録されていない未撮影部分とが混在する。未撮影部分は、ある被写体の撮影部分に続いて、別の被写体あるいは別の日時で撮影部分を記録する場合などにおいて、後で記録する撮影部分が先に記録した撮影部分に重ならないようにするためなどにより生じる。
【００１９】
データ読み取り部１０３は、テープ１０２から再生された画像データ及び音声データを分離し、画像データは画像データ出力部１０４を通して画像データ圧縮部１０６に供給し、音声データは音声データ出力部１０５を通して音声データ圧縮部１０７に供給する。また、データ読み取り部１０３は、画像データ及び音声データの有無も検出しており、画像データ及び音声データが存在しないことを検出したときには、前記未撮影部分の再生信号であると判断してダミー画像作成部１０８を起動してダミー画像を作成させる。
【００２０】
ダミー画像作成部１０８は、起動により色変化付きブルーバック画像信号１０９を作成して画像データ出力部１０４を通して画像データ圧縮部１０６に供給する。ここで、上記の色変化付きブルーバック画像信号１０９は、画面の縦横両方向に青色を基調とした任意の色変化の分布を与えた背景画像の信号であり、また、時間の経過と共に、上記の色変化の分布の形を適宜変化する背景画像の信号である。なお、色の変化は上記の青色と比較的同系色で、時間的な分布の変化も穏やかに感じるような変化を与えることにより、視覚的に疲れないような画像としてある。
【００２１】
画像データ圧縮部１０６は、入力された画像データをＭＰＥＧ２方式等の所定の圧縮符号化方式により圧縮符号化して得た圧縮画像データをストリームフォーマット変換部１１０に供給し、ここで音声データ圧縮部１０７で圧縮された音声圧縮データと共に、配信及び再生可能なストリームフォーマットの形式に変換される。上記の画像圧縮データ１０７により圧縮符号化される画像データが、色変化付きブルーバック画像信号１０９であるときにも、画像圧縮データが極端に少量にならず、また、時間の経過と共に、色変化の分布の形が適宜変化するので、画像圧縮による時間的な差分が発生するため、充分な量の画像圧縮データが発生される。
【００２２】
ストリームフォーマット変換部１１０で得られたストリームフォーマットの圧縮画像データ及び圧縮音声データは、ＳＤカード記録部１１１によりストリームファイルとしてＳＤカード１１３に保存されたり、ＨＴＴＰプロトコルによるネットワーク配信部１１２により、インターネットやＬＡＮ上に動画像ストリームとして配信される。
【００２３】
次に、本発明の要部の動作についてさらに具体的に図２と共に説明する。図２に示すように、ＤＶＣ１０１のデータ読み取り部１０３により記録済みのテープ１０２の撮影部分から再生された画像データ２０１は画像圧縮部１０６に供給されて通常の画像圧縮が行われる。また、記録済みのテープ１０２の未撮影部分からは再生信号は得られないが、前述したようにＤＶＣ１０１の内部で色変化付きブルーバック画像信号が作成されて出力され、画像圧縮部１０６に供給されて画像圧縮が行われる。
【００２４】
この色変化付きブルーバック画像信号の画像は、ある時間では図２に２０５で示すように、青一色の画像ではなく、画面の縦横方向に青色を基調とした任意の色変化の分布を与えた画像であり、また、所定時間経過後に続く画像は、図２に２０６で示すように画面の縦横方向に青色を基調とした任意の色変化の分布を与えた画像で、かつ、画像２０６とは色変化の分布の形が変化した画像である。前述したように、上記の色の変化は比較的同系色で、時間的な分布の変化も穏やかに感じるような変化を与えられている。
【００２５】
画像圧縮部１０６において画像データ２０１を圧縮符号化して得られた画像圧縮データ２０３と、色変化付きブルーバック画像の画像データ２０５を圧縮符号化して得られた画像圧縮データ２０７と、色変化付きブルーバック画像の画像データ２０６を圧縮符号化して得られた画像圧縮データ２０８とは、図１のストリームフォーマット変換部１１０に供給されて、音声圧縮データと共に多重されて図２に示す所定フォーマットの連続ストリーム３０２に変換される。
【００２６】
なお、本発明は上記の実施の形態に限定されるものではなく、例えば、画像データ圧縮部１０６及び音声データ圧縮部１０７以降の構成は、例えばパーソナルコンピュータに持たせ、ディジタルビデオカメラ内に設けなくてもよい。
【００２７】
【発明の効果】
以上説明したように、本発明によれば、記録媒体から未撮影部分が再生されたときには、画面の縦及び横方向に所定の色を基調とした任意の色変化の分布を持ち、かつ、色変化の分布の形状が時間と共に変化する背景画像信号を出力することにより、背景画像信号を圧縮した場合に、その圧縮画像データが極端に少量にならず、かつ、十分な量の圧縮画像データを得ることができるようにしたため、未撮影部分を含む記録媒体を連続的に再生して得た画像データを圧縮してストリーム化する場合において、ビットレートの極端な低下のない安定したストリームを作成できる。
【００２８】
また、本発明によれば、撮影して得た被写体の画像データが記録された記録済みの記録媒体からの再生画像データを圧縮して、所定のストリームフォーマットの信号形態に変換することにより、撮影して得た被写体の画像をネットワークにストリーム配信したりファイル化するようにしたため、撮影者がストリーム配信したり、ファイル化する場合に、記録媒体中に未撮影部分があるかどうか注意を払う必要なく、記録済みの記録媒体から常に安定したストリームを作成することが容易となる。
【図面の簡単な説明】
【図１】本発明の一実施の形態のブロック図である。
【図２】本発明の一実施の形態の動作説明図である。
【図３】従来の一例の動作説明図である。
【図４】従来の通常画像とブルーバック画像における画素の変化を説明する図である。
【符号の説明】
１０１  ディジタルビデオカメラ（ＤＶＣ）
１０２  テープ
１０３  データ読み取り部
１０４  画像データ出力部
１０５  音声データ出力部
１０６  画像データ圧縮部
１０７  音声データ圧縮部
１０８  ダミー画像作成部
１０９  色変化付きブルーバック画像
１１０  ストリームフォーマット変換部
１１１  ＳＤカード記録部
１１２  ネットワーク配信部
２０１  撮影部分の画像データ
２０５、２０６  色変化付きブルーバック画像の画像データ
２０３  撮影部分の画像圧縮データ
２０７、２０８  色変化付きブルーバック画像の画像圧縮データ
【図１】
2004282184.tif 000003
【図２】
2004282184.tif 000004
【図３】
2004282184.tif 000005
【図４】
2004282184.tif 000006